(57)【要約】【課題】空気清浄用フィルタのメンテナンス作業や交換作業を容易に行うことができる床下利用空気清浄化システムを提供すること。【解決手段】上下に延びる第１のフィルタボックス８が空気吸込口４の真下に位置させて床下空間３内に配設され、第１のフィルタボックス８の上開口端８ｂがこれに対応する空気吸込口４に接続され、第１のフィルタボックス８の下部が床下空間３内の送風ファン１４に接続されている。更に、脱臭フィルタ１１，除塵フィルタ１２が第１のフィルタボックス８内に上開口端８ｂから居室１内に着脱可能に配設されている。【選択図】図２
2008107056.tif 000002
【特許請求の範囲】
【請求項１】
居室の床に空気吸込の開口及び空気吹出用の開口が設けられ、前記居室の床下空間に送風ファンが配設され、前記送風ファンの吸込側及び吐出側が前記空気吸込用の開口及び前記空気吹出用の開口にそれぞれ接続されていると共に、前記空気吸込用の開口から前記空気吹出用の開口までの送風路の途中に空気清浄用フィルタが配設された床下利用空気清浄化システムであって、
上下に延びるフィルタボックスが前記両開口の少なくとも一方の真下に位置させて前記床下空間内に配設され、前記フィルタボックスの上開口端がこれに対応する前記開口に接続され、前記のフィルタボックスの下部が前記送風ファンに接続されていると共に、前記空気清浄用フィルタが前記フィルタボックス内に前記上開口端から居室内に着脱可能に配設されていることを特徴とする床下利用空気清浄化システム。
【請求項２】
請求項１に記載の床下利用空気清浄化システムにおいて、前記フィルタボックスは前記空気吸込用の開口及び前記空気吹出用の開口の真下にそれぞれ位置させて前記床下空間内に配設された第１，第２のフィルタボックスであると共に、前記第１，第２のフィルタボックスの上開口端が前記空気吸込用の開口及び前記空気吹出用の開口にそれぞれ接続され、前記第１，第２のフィルタボックスの下部が前記送風ファンの吸込側及び吐出側にそれぞれ直線状のダクトで接続され、前記空気清浄用フィルタが前記第１，第２のフィルタボックスの少なくとも一方内に前記上開口端から居室内に着脱可能に配設されていることを特徴とする床下利用空気清浄化システム。
【請求項３】
請求項２に記載の床下利用空気清浄化システムにおいて、前記空気清浄用フィルタは第１のフィルタボックス内に配設されたハニカム構造の脱臭フィルタ及び該脱臭フィルタの上流側に配設された除塵フィルタであると共に、前記脱臭フィルタはハニカム断面と直交する方向に延びる通風路内を空気が流れるように前記第１のフィルタボックス内に配設されていることを特徴とする床下利用空気清浄化システム。
【発明の詳細な説明】
【技術分野】
【０００１】
この発明は、居室内の空気を清浄化する空気清浄用のフィルタが床下空間内に配設された床下利用空気清浄化システムに関するものである。
【背景技術】
【０００２】
従来、建物の居室の床下に脱臭装置が配設され、その居室内の空気を脱臭装置に供給して脱臭した後に居室に戻す循環風路が設けられ、この循環風路途中に送風ファンが設けられた構成の生活臭脱臭システムが知られている（例えば、特許文献１参照）。
【特許文献１】特開２００６−１２２２６１号公報
【発明の開示】
【発明が解決しようとする課題】
【０００３】
ところで、この生活臭脱臭システムでは、居室の床に脱臭装置に臨ませて点検口を設けている。しかし、脱臭装置の構造上、脱臭装置内の脱臭フィルタ（空気清浄用フィルタ）のメンテナンス作業や交換作業を行うには、床下空間内に入る必要があったため、作業性が悪いものであった。
【０００４】
そこで、この発明の目的は、空気清浄用フィルタのメンテナンス作業や交換作業を容易に行うことができる床下利用空気清浄化システムを提供することを目的とするものである。
【課題を解決するための手段】
【０００５】
この目的を達成するために、請求項１の発明は、居室の床に空気吸込の開口及び空気吹出用の開口が設けられ、前記居室の床下空間に送風ファンが配設され、前記送風ファンの吸込側及び吐出側が前記空気吸込用の開口及び前記空気吹出用の開口にそれぞれ接続されていると共に、前記空気吸込用の開口から前記空気吹出用の開口までの送風路の途中に空気清浄用フィルタが配設された床下利用空気清浄化システムであって、上下に延びるフィルタボックスが前記両開口の少なくとも一方の真下に位置させて前記床下空間内に配設され、前記フィルタボックスの上開口端がこれに対応する前記開口に接続され、前記のフィルタボックスの下部が前記送風ファンに接続されていると共に、前記空気清浄用フィルタが前記フィルタボックス内に前記上開口端から居室内に着脱可能に配設されている床下利用空気清浄化システムとしたことを特徴とする。
【０００６】
また、請求項２の発明は、請求項１に記載の床下利用空気清浄化システムにおいて、前記フィルタボックスは前記空気吸込用の開口及び前記空気吹出用の開口の真下にそれぞれ位置させて前記床下空間内に配設された第１，第２のフィルタボックスであると共に、前記第１，第２のフィルタボックスの上開口端が前記空気吸込用の開口及び前記空気吹出用の開口にそれぞれ接続され、前記第１，第２のフィルタボックスの下部が前記送風ファンの吸込側及び吐出側にそれぞれ直線状のダクトで接続され、前記空気清浄用フィルタが前記第１，第２のフィルタボックスの少なくとも一方内に前記上開口端から居室内に着脱可能に配設されていることを特徴とする。
【０００７】
また、請求項３の発明は、請求項２に記載の床下利用空気清浄化システムにおいて、前記空気清浄用フィルタは第１のフィルタボックス内に配設されたハニカム構造の脱臭フィルタ及び該脱臭フィルタの上流側に配設された除塵フィルタであると共に、前記脱臭フィルタはハニカム断面と直交する方向に延びる通風路内を空気が流れるように前記第１のフィルタボックス内に配設されていることを特徴とする。
【発明の効果】
【０００８】
上述した請求項１の発明によれば、空気清浄用フィルタはフィルタボックスから居室内に上開口端から容易に取り出すことができるので、空気清浄用フィルタのメンテナンス作業や交換作業を容易に行うことができる。尚、空気清浄用フィルタは、除塵フィルタ又は脱臭フィルタの少なくとも一方、若しくはこれらの組み合わせであっても良い。
【０００９】
また、請求項２の発明によれば、直線状のダクトやフィルタボックスは風路断面を大きく取れるので、直線状のダクトやフィルタボックスの風路断面を大きく取ることにより、風路抵抗による圧力損失を低減させて、送風量ロスが生じない床下利用空気清浄化システムを提供できる。
【００１０】
更に、請求項３の発明によれば、第１のフィルタボックス内に吸い込まれる居室内の空気中の塵埃を空気吸込用の開口に近い位置で除塵フィルタにより除塵できるので、除塵フィルタの下流側の送風路内面に塵埃が付着しない。このため、除塵フィルタの下流側の送風路内面の風路抵抗が、付着する塵埃で増大するようなことを未然に防止できる。しかも、脱臭フィルタはハニカム構造の通風路沿って空気が流れるように第１のフィルタボックス内に配設されているので、空気の流れを阻害することなく、空気に含まれる臭気を脱臭フィルタで確実に脱臭できる。
【発明を実施するための最良の形態】
【００１１】
以下、この発明の実施の形態を図面に基づいて説明する。
【００１２】
図１において、１は住宅棟の建物の居室、２は居室１の床、３は居室１の床下空間である。この床下空間３内には、居室１の空気を清浄化する床下利用空気清浄化システムＡが配設されている。この床下利用空気清浄化システムＡは、以下のように構成されている。
【００１３】
即ち、居室１の床２の互いに反対側の縁部の上部側には、図２に示したように床下利用空気清浄化システムＡの空気吸込口（空気吸込用の開口）４及び空気吹出口（空気吹出用の開口）５がそれぞれ形成されている。また、床２には、空気吸込口４に連設され且つ空気吸込口４より開口の小さいボックス嵌合部４ｂと、空気吹出口５に連設され且つ空気吹出口５よりも開口の小さいボックス嵌合部５ｂが形成されている。尚、３ａは床下空間３の底の基礎面である。
【００１４】
この空気吸込口４及び空気吹出口５は吸込側ガラリ６及び吹出側ガラリ７によりそれぞれ閉成覆われている。また、空気吸込口４とボックス嵌合部４ｂとの間及び空気吹出口５とボックス嵌合部５ｂとの間には段差面４ａ，５ａがそれぞれ形成されている。しかも、吸込側ガラリ６は、上面が床２の上面と面一になるように、周縁部が段差面４ａ上に着脱可能に載置されている。同様に吹出側ガラリ７は、上面が床２の上面と面一になるように、周縁部が段差面５ａ上に着脱可能に載置されている。
【００１５】
尚、吸込側ガラリ６及び吹出側ガラリ７は段差面４ａ，５ａ上に着脱可能に固定手段（図示せず）で固定することもできる。
【００１６】
また、床下空間３内には、空気吸込口４の真下に位置させて第１のフィルタボックス８が配設されている共に、空気吹出口５の真下に位置させて第２のフィルタボックス９が配設されている。
【００１７】
この第１のフィルタボックス８は、上下に延びていて、上端部８ａがボックス嵌合部４ｂ内に嵌合固定されている。これにより第１のフィルタボックス８の上開口端８ｂは空気吸込口４に接続されている。また、第２のフィルタボックス９も、上下に延びていて、上端部９ａがボックス嵌合部５ｂ内に嵌合固定されている。これにより第２のフィルタボックス９の上開口端９ｂは空気吹出口５に接続されている。
【００１８】
また、第１のフィルタボックス８の上下方向の中間部にはフィルタ支持部材１０が固定されている。このフィルタ支持部材１０には、Ｌ型アングルが用いられている。
【００１９】
そして、このフィルタ支持部材１０上には空気清浄用フィルタとしての脱臭フィルタ１１の周縁部が着脱可能に載置され、この脱臭フィルタ１１の上面（上流側の面）上には、空気清浄用フィルタとしての除塵フィルタ１２が積層されている。尚、除塵フィルタ１２と吸込側ガラリ６との間には僅かな間隙Ｓが設けられている。また、除塵フィルタ１２は、脱臭フィルタ１１上に着脱可能に載置した構成でも良いし、脱臭フィルタ１１上に積層固定しても良い。
【００２０】
また、脱臭フィルタ１１には例えば図３に示したように活性炭等からハニカム構造に形成されたものが用いられ、除塵フィルタ１２には通気性のある紙製フィルタシートや通気性のある織布或いは不織布等が用いられる。
【００２１】
しかも、この脱臭フィルタ１１は図３に示したようにハニカム断面と直交する方向に延びる通風路１１ａを有する。そして、除塵フィルタ１２を透過した空気は図３の矢印Ａ１で示したように脱臭フィルタ１２の通風路１１ａ（断面方向とは直交する方向の孔）内を流れるように、第１のフィルタボックス８内に配設されている。
【００２２】
尚、この通風路１１ａは、内接円が例えば略５ｍｍ程度の断面形状のものが用いられていて、流れる空気の抵抗が少なく且つ脱臭効果を充分に発揮できるようになっている。また、ハニカム構造の断面形状（通風路１１ａの断面形状）は六角形に限らず三角形、四角形、五角形等その他多角形でも良い。１３は、第１のフィルタボックス８の下部に形成された送風空間（送風路の一部）である。
【００２３】
また、床下空間３内には、第１，第２フィルタボックス８，９の略中間に位置させて送風ファン１４が配設されている。この送風ファン１４の吸込側は、第１フィルタボックス８の送風空間１３の下端部に直線状の空気吸込ダクト１５を介して接続されている。また、送風ファン１４の吐出側は、第２フィルタボックス８の下端部に直線状の空気吹出ダクト（送風ダクト）１６を介して接続されている。
【００２４】
次に、このような構成の床下利用空気清浄化システムＡの作用を説明する。
【００２５】
この床下利用空気清浄化システムＡの送風ファン１４を作動させると、居室１内の空気は矢印Ａ２で示したように吸込側ガラリ６を介して第１のフィルタボックス８の上部の間隙Ｓ内に吸い込まれる。
【００２６】
この吸い込まれた空気は、矢印Ａ２で示したように除塵フィルタ１２，脱臭フィルタ１１を透過して送風空間１３に流れる。この際、空気に含まれる塵埃は除塵フィルタ１２に捕集され、この除塵フィルタ１２を空気と共に透過した臭気は脱臭フィルタ１１の通風路１１ａ内を流れながら脱臭フィルタ１１の活性炭により脱臭される。このようにして除塵及び脱臭されて清浄化された空気は矢印Ａ２で示したように空気吸込ダクト１５を介して送風ファン１４に吸い込まれる。
【００２７】
一方、清浄化された空気は、矢印Ａ３で示したように送風ファン１４から空気吹出ダクト１６に吹き出された後、第２のフィルタボックス９内に流れて、最終的に吹出側ガラリ７から居室１内に吹き出される。そして、居室１内に吹き出された空気は矢印Ａ４，Ａ５で示したように流れて、再度、矢印Ａ２，Ａ３のように循環しながら、居室１内の塵埃が除去されると共に、居室１内の臭気が脱臭される。
【実施例】
【００２８】
上述した床下利用空気清浄化システムＡにおいて、ガラリ６，７の寸法は、長さが１５０ｍｍで幅３００ｍｍに形成されている。また、第１，第２のフィルタボックス８，９の寸法は、長さが１４２ｍｍ、幅が２９２ｍｍ、高さが４５０ｍｍに形成されている。更に、吸込ダクト１５及び吹出ダクト１６の寸法は、直径が１５０ｍｍに形成されている。
【００２９】
また、脱臭フィルタ１１の寸法は、長さが１４０ｍｍ、幅が２９０ｍｍ、高さが１５０ｍｍに形成されている。更に、除塵フィルタ１２の寸法は、長さが１４０ｍｍ、幅が２９０ｍｍ、高さが３０ｍｍに形成されている。
【００３０】
尚、これらの寸法は、一例を示したもので、必ずしもその値に限定されるものではない。
【００３１】
（実験例）
また、上述した寸法において、実験条件及び試験対象脱臭装置の仕様を次のように設定した場合の、空気の清浄化の効果を説明する。
（実験条件）
・発生臭気：たばこＴｂの臭気ＴＳ（図１参照）
・居室１の面積：２５９ｍ2
・居室１の容積：５３．１ｍ3
・臭気発生箇所（点）：居室１の中央部の床面
（試験対象脱臭装置の仕様）
（１）本仕様の床下利用空気清浄化システムＡ
・送風ファン１４の送風量が２００ｍ3／ｈ
・各部は上述した寸法
（２）従来の仕様
脱臭装置の両側を小径のダクトでガラリ６，７に接続した仕様で、送風量が１５０ｍ3／ｈ
（３）家電脱臭機
送風量が１８００ｍ3／ｈ（急速運転）
このような実験条件及び試験対象脱臭装置の仕様において、試験した結果は図４に示したようになった。即ち、図４から分かるように、空気の清浄化を開始したときに、開始初期には３０００から４０００の間にあった臭気が時間の経過と共に低下したが、本実施例における寸法及び仕様の床下利用空気清浄化システムＡは脱臭を最も効果的に行うことができた。尚、図１の犬、猫等の動物Ａｍから発生する臭気も同様にして脱臭される。
【００３２】
[変形例]
また、上述した実施例では第１のフィルタボックス８内に脱臭フィルタ１１及び除塵フィルタ１２を配設した例を示したが、必ずしもこれに限定されるものではない。
【００３３】
例えば、図５に示したように、脱臭フィルタ１１及び除塵フィルタ１２を第２のフィルタボックス９内に配設することもできる。また、図６に示したように除塵フィルタ１２第１のフィルタボックス８内に配設し、脱臭フィルタ１１を第２のフィルタボックス９内に配設することもできる。
【００３４】
以上説明したように、この発明の実施の形態の床下利用空気清浄化システムＡでは、居室１の床２に空気吸込の開口（空気吸込口４）及び空気吹出用の開口（空気吹出口５）が設けられ、前記居室１の床下空間３に送風ファン１４が配設されている。また、前記送風ファン１４の吸込側及び吐出側が前記空気吸込用の開口（空気吸込口４）及び前記空気吹出用の開口（空気吹出口５）にそれぞれ接続されていると共に、前記空気吸込用の開口（空気吸込口４）から前記空気吹出用の開口（空気吹出口５）までの送風路の途中に空気清浄用フィルタ（脱臭フィルタ１１，除塵フィルタ１２）が配設されている。しかも、上下に延びるフィルタボックス（第１，第２のフィルタボックス８，９の少なくとも一方）が前記両開口（空気吸込口４，空気吹出口５）の少なくとも一方の真下に位置させて前記床下空間３内に配設され、前記フィルタボックス（第１，第２のフィルタボックス８，９の一方）の上開口端（８ｂ、９ｂの一方）がこれに対応する前記開口（空気吸込口４，空気吹出口５の一方）に接続され、前記のフィルタボックス（第１，第２のフィルタボックス８，９）の下部が前記送風ファン１４に接続されている。更に、前記空気清浄用フィルタ（脱臭フィルタ１１，除塵フィルタ１２）が前記フィルタボックス（第１，第２のフィルタボックス８，９の少なくも一方）内に前記上開口端から居室内に着脱可能に配設されている。
【００３５】
この構成によれば、空気清浄用フィルタ（脱臭フィルタ１１，除塵フィルタ１２）はフィルタボックス（第１，第２のフィルタボックス８，９の少なくとも一方）から居室１内に上開口端（８ｂ、９ｂの一方）から容易に取り出すことができるので、空気清浄用フィルタ（脱臭フィルタ１１，除塵フィルタ１２）のメンテナンス作業や交換作業を容易に行うことができる。尚、空気清浄用フィルタは、除塵フィルタ又は脱臭フィルタの少なくとも一方、若しくはこれらの組み合わせであっても良い。
【００３６】
また、この発明の実施の形態の床下利用空気清浄化システムにおいて、前記フィルタボックスは前記空気吸込用の開口及び前記空気吹出用の開口の真下にそれぞれ位置させて前記床下空間内に配設された第１，第２のフィルタボックス８，９である。しかも、前記第１，第２のフィルタボックス８，９の上開口端８ｂ、９ｂが前記空気吸込用の開口（空気吸込口４）及び前記空気吹出用の開口（空気吹出口５）にそれぞれ接続され、前記第１，第２のフィルタボックス８，９の下部が前記送風ファン１４の吸込側及び吐出側にそれぞれ直線状のダクト（１５，１６）で接続されている。更に、前記空気清浄用フィルタ（脱臭フィルタ１１，除塵フィルタ１２）が前記第１，第２のフィルタボックス８，９の少なくとも一方内に前記上開口端（８ｂ、９ｂの一方）から居室１内に着脱可能に配設されている。
【００３７】
この構成によれば、直線状のダクト（１５，１６）やフィルタボックス（８，９）は風路断面を大きく取れるので、直線状のダクトやフィルタボックスの風路断面を大きく取ることにより、風路抵抗による圧力損失を低減させて、送風量ロスが生じない床下利用空気清浄化システムを提供できる。
【００３８】
更に、この発明の実施の形態の床下利用空気清浄化システムにおいて、前記空気清浄用フィルタは第１のフィルタボックス８内に配設されたハニカム構造の脱臭フィルタ１１及び該脱臭フィルタ１１の上流側に配設された除塵フィルタ１２であると共に、前記脱臭フィルタ１１はハニカム断面と直交する方向に延びる通風路１１ａ内を空気が流れるように前記第１のフィルタボックス８内に配設されている。
【００３９】
この構成によれば、第１のフィルタボックス８内に吸い込まれる居室１内の空気中の塵埃を空気吸込用の開口（空気吸込口４）に近い位置で除塵フィルタ１２により除塵できるので、除塵フィルタ１２の下流側の送風路内面に塵埃が付着しない。このため、除塵フィルタ１２の下流側の送風路内面の風路抵抗が、付着する塵埃で増大するようなことを未然に防止できる。しかも、脱臭フィルタ１１はハニカム構造の通風路１１ａ内を空気が流れるように第１のフィルタボックス８内に配設されているので、空気の流れを阻害することなく、空気に含まれる臭気を脱臭フィルタ１１で確実に脱臭できる。
【図面の簡単な説明】
【００４０】
【図１】この発明にかかる床下利用空気清浄化システムを備える建物の概略説明図である。
【図２】図１の床下利用空気清浄化システムの要部拡大断面図である。
【図３】図２の脱臭フィルタの一例を示す部分拡大断面図である。
【図４】この発明に係る床下利用空気清浄化システムの実施例における実験例（試験例）を示す脱臭性能図である。
【図５】この発明に係る床下利用空気清浄化システムの変形例を示す説明図である。
【図６】この発明に係る床下利用空気清浄化システムの他の変形例を示す説明図である。
【符号の説明】
【００４１】
Ａ・・・床下利用空気清浄化システム
１・・・居室
２・・・床
３・・・床下空間
４・・・空気吸込口（空気吸込用の開口）
５・・・空気吹出口（空気吹出用の開口）
８・・・第１のフィルタボックス
８ｂ・・・上開口端
９・・・第２のフィルタボックス
９ｂ・・・上開口端
１１・・・脱臭フィルタ（空気清浄用フィルタ）
１２・・・除塵フィルタ（空気清浄用フィルタ）
１４・・・送風ファン
１５・・・空気吸込ダクト
１６・・・空気吹出ダクト
【図１】
2008107056.tif 000003
【図２】
2008107056.tif 000004
【図３】
2008107056.tif 000005
【図４】
2008107056.tif 000006
【図５】
2008107056.tif 000007
【図６】
2008107056.tif 000008